(57)【要約】【課題】本発明は老人や病人のような体力のない使用者にとっても使い勝手がよく、かつ場所をとらなく安価に提供出来る簡易便器を提供することにある。【解決手段】便器本体２の上面両側から肘掛け６を立設し、該肘掛け６の前端部に軸孔１２を設け、該軸孔１２に前面支え部材１３の根端軸１４を回動自在に嵌合し、該前面支え部材１３は垂直位置から回動させて内側水平状態から１５°上方に傾斜した状態の間の位置に支持されている簡易便器１を提供する。使用に際しては該前面支え部材１３を水平状態から１５°上方に傾斜した状態の間の位置におき、使用者は前かがみの排便容易な姿勢をとって腕を該前面支え部材１３に支持する。【選択図】  図２
2005198812.tif 000002
【特許請求の範囲】
【請求項１】
便器本体の上面両側から肘掛けを立設し、該肘掛けの前端部に軸孔を設け、該軸孔に前面支え部材の根端軸を回動自在に嵌合し、該前面支え部材は略垂直位置から回動させて内側水平状態から１５°上方に傾斜した状態の間の位置に支持されていることを特徴とする簡易便器。
【請求項２】
該前面支え部材の根端軸周面には先端から軸方向に沿う横溝と、該横溝奥端から延長され周方向に沿う周溝とが形成され、一方該肘掛けの軸孔内周にはピンが突設され、該前面支え部材の根端軸を該肘掛けの軸孔に嵌合する時該前面支え部材の根端軸の横溝に該肘掛けの軸孔のピンが嵌入摺動し、ピンが該横溝の奥端に達した時、該前面支え部材を垂直位置から内側水平位置にまで回動させると、該根端軸の周溝に移行した該肘掛けの軸孔のピンが該周溝を摺動し、該前面支え部材の内側水平状態から１５°上方に傾斜した状態の間の位置で該ピンが該周溝の奥端に当接し、かくして該前面支え部材は内側水平状態から１５°上方に傾斜した状態の間の位置に支持される請求項１に記載の簡易便器。
【発明の詳細な説明】
【技術分野】
【０００１】
本発明は持運びが出来る簡易便器に関するものである。
【背景技術】
【０００２】
この種の簡易便器は一般に室内所定個所に置かれ、病人、老人、身障者が使用する場合が多い。したがって上記体の不自由な人が使用する場合、使い勝手の良い構造を採用することが必要とされる。
特に排便時に使用者が排便容易な姿勢をとり得るようにすることが望ましい。排便容易な姿勢とは便器本体に腰かけた使用者がが前かがみになる姿勢である。
このような前かがみになる姿勢をとり易くするために、従来便器本体の前側に腕置台を配置した構成（特許文献１）、あるいは便器本体上面両側に立設した肘掛けの先端部に握持杆を回動可能に取付けた構成（特許文献２）等が提供されている。
【０００３】
【特許文献１】実開昭５７−１６０７２２号のマイクロフィルム（請求項１）
【特許文献２】特開２００２−３３０８９７号公報（請求項１、図１）
【発明の開示】
【発明が解決しようとする課題】
【０００４】
上記従来構成のうち、便器本体の前側に腕置台を配置した構成では、腕置台や該腕置台を支持するための支持台等の部材が別個に必要であり、また場所をとるし、使用者が便器本体に腰かけたり立上ったりする時にも腕置台や支持台等が干渉する。
また肘掛けの先端部に握持杆を回動可能に取付けた構成では、肘掛けと云う部材が別個に必要であるし、前かがみの姿勢では肘掛けと握持杆とが使用者の体にフィットしにくゝ使い勝手が悪い。
【課題を解決するための手段】
【０００５】
本発明は上記従来の課題を解決するための手段として、便器本体(2) の上面両側から肘掛け(6) を立設し、該肘掛け(6) の前端部に軸孔(12)を設け、該軸孔(12)に前面支え部材(13)の根端軸(14)を回動自在に嵌合し、該前面支え部材(13)は略垂直位置から回動させて内側水平状態ＨＬから１５°上方に傾斜した状態の間の位置に支持されている簡易便器(1) を提供するものである。
該前面支え部材(13)の根端軸(14)周面には先端から軸方向に沿う横溝(15)と、該横溝(15)奥端から延長され周方向に沿う周溝(16)とが形成され、一方該肘掛け(6) の軸孔(12)内周にはピン(19)が突設され、該前面支え部材(13)の根端軸(14)を該肘掛け(6) の軸孔(12)に嵌合する時、該前面支え部材(13)の根端軸(14)の横溝(15)に該肘掛け(6) の軸孔(12)のピン(19)が嵌入摺動し、ピン(19)が該横溝(15)の奥端に達した時該前面支え部材(13)を垂直位置から内側水平状態ＨＬから１５°上方に傾斜した状態の間の位置にまで回動させると、該根端軸(14)の周溝(16)に移行した該肘掛け(6) の軸孔(12)のピン(19)が該周溝(16)を摺動し、該前面支え部材(13)の内側水平状態ＨＬから１５°上方に傾斜した状態の間の位置で該ピン(19)が該周溝(16)の奥端に当接し、かくして該前面支え部材(13)は内側水平状態ＨＬから１５°上方に傾斜した状態の間の位置に支持されることが望ましい。
【発明の効果】
【０００６】
〔作用〕
使用者が便器本体(2) に腰を下ろす。この時前面支え部材(13)は垂直位置にあるから、使用者に干渉しない。該前面支え部材(13)を上記垂直位置から内側水平状態から１５°上方に傾斜した状態の間の位置に回動させ、この状態では使用者は排便時力を入れ易い前かがみの姿勢になり、腕を該前面支え部材(13)に支持することが出来る。
【０００７】
〔効果〕
本発明にあっては、使用者は排便時に前かがみになって前面支え部材に腕を支えるから排便が極めて楽になる。
【発明を実施するための最良の形態】
【０００８】
本発明を図１〜図６に示す一実施例によって説明すれば、簡易便器(1) は便器本体(2) と、便器本体(2) の上面に載置される便座(3) と、該便座(3) 上に被着される座蓋(4) と、該便器本体(2) 上面後縁に立設される背もたれ(5) と、該便器本体(2) 上面両側に立設されている肘掛け(6) とからなり、該便座(3) は後縁ヒンジ部(7) によって該便器本体(2) 上面後縁部に跳ね上げ可能に枢着されており、該座蓋(4) は前後方向中央部から二つ折りに折畳み可能にされ、後縁は該便座(3) と共にヒンジ部(7) によって該便器本体(2) 上面後縁部に跳ね上げ可能に枢着されており、該座蓋(4) は使用時には該便座(3) 上に被着された状態から図２に示すように二つ折り折畳み状態で上方に回動させ（跳ね上げ）、背もたれ(5) の内側を通り抜けて斜め後方へ傾斜した状態にする。
該座蓋(4) を該便座(3) 上に被着した状態では、該座蓋(4) 上に腰かけて該簡易便器(1) を椅子として使用出来る。
【０００９】
該背もたれ(5) は左右側枠(8,8) と、該左右側枠(8,8) 間に差渡されている背当て(9) とからなり、該座蓋(4) を跳ね上げる時には、該左右側枠(8,8) 間の背当て(9) 下側空間を通り抜けさせる。
【００１０】
該肘掛け(6) は前後一対の支柱(10,10) と、該支柱(10,10) 上端に差渡し支持される肘掛け台(11)とからなり、図３に示すように該肘掛け台(11)の前面から軸孔(12)が設けられている。
該軸孔(12)には前面支え部材(13)の根端軸(14)が嵌合されるが、該根端軸(14)の周面には、先端から軸方向に沿う横溝(15)と、該横溝(15)の奥端から延長され周方向に沿う周溝(16)とが形成されており、該根端軸(14)には直角に前面支え部材(13)の芯軸(17)が接続されており、該芯軸(17)の周りには、ゴム、エラストマー等の弾性材料からなる弾性被覆(18)が形成されている。一方肘掛け台(11)の軸孔(12)内周にはピン(19)が突設されている。
【００１１】
上記簡易便器(1) はプラスチックを主材として構成されている。
【００１２】
上記前面支え部材(13)を肘掛け(6) に取付けるには、該前面支え部材(13)を図４に示すように垂直状態から若干内側よりに傾斜させ、該前面支え部材(13)の根端軸(14)の横溝(15)を該肘掛け(6) の肘掛け台(11)の軸孔(12)のピン(19)に合わせ、該前面支え部材(13)の根端軸(14)を該肘掛け台(11)の軸孔(12)に嵌合する。この時、該前面支え部材(13)の根端軸(14)の横溝(15)内に該肘掛け台(11)の軸孔(12)のピン(19)が嵌入し摺動する。該ピン(19)が該横溝(15)の奥端に達した時、該前面支え部材(13)は図１矢印方向（外側方向）へ回動可能となる。該前面支え部材(13)垂直状態では該前面支え部材(13)の根端軸(14)の横溝(15)は、図５に示すように該肘掛け台(11)の軸孔(12)のピン(19)の位置から角度θ（本実施例では３０°）だけずれた位置にあり、該前面支え部材(13)が該肘掛け台(11)から抜け落ちないようにされている。
【００１３】
該便器(1) を使用する時には、該前面支え部材(13)を垂直位置において座蓋(4) を二つ折りに折畳み状態とし、上方へ回動させ後方へ跳ね上げて開き、使用者は便座(3) 上に腰掛け、該前面支え部材(13)を外側に回動させ内側水平位置におく。この時該肘掛け(6) の肘掛け台(11)の軸孔(12)のピン(19)は、該前面支え部材(13)の根端軸(14)の周溝(16)内を摺動し、図６に示すように該周溝(16)の奥端に当接し、かくして該前面支え部材(13)は水平位置に支持される。この状態で使用者が前かがみになって腕を該前面支え部材(13)上に支える。本実施例の前面支え部材(13)は円柱状であるから使用者が握ることも出来る。
【００１４】
使用後は該前面支え部材(13)を図１矢印逆方向へ回動させ、垂直状態にして使用者が立上って離れる時邪魔にならないようにする。
【００１５】
上記実施例では前面支え部材(13)を内側水平位置においたが、図７および図８に示すように該前面支え部材(13)を若干上方に傾斜する位置においてもよい。図７に示す実施例では水平状態ＨＬとの傾斜角度θ＝１０°である。このように該前面支え部材(13)を若干上方に傾斜させれば、使用者は水平位置よりも腕に負担をかけずに体も支えることが出来る。θ≦１５°であることが好ましく、θ＞１５°であると該前面支え部材(13)の傾斜が急になり過ぎ、体を支えにくゝなる。
【００１６】
上記実施例以外、本発明では前面支え部材は片方の肘掛けのみに取付けられてもよく、また前面支え部材は台板状であってもよい。
【産業上の利用可能性】
【００１７】
本発明の簡易便器は、排便が楽に出来るので、老人や病人のような体の弱い人でも、使い勝手が極めて良い。
【図面の簡単な説明】
【００１８】
図１〜図６は本発明の一実施例を示すものである。
【図１】斜視図
【図２】使用状態説明斜視図
【図３】前面支え部材取付け部分説明図
【図４】前面支え部材取付け説明図
【図５】前面支え部材垂直状態説明図
【図６】前面支え部材水平使用状態取付け部分説明図  図７および図８は他の実施例を示すものである。
【図７】前面支え部材使用状態取付け部分説明図
【図８】前面支え部材使用状態説明図
【符号の説明】
【００１９】
1           簡易便器
2           便器本体
3           便座
4           座蓋
6           肘掛け
11          肘掛け台
12          軸孔
13          前面支え部材
14          根端軸
15          横溝
16          周溝
17          軸芯
18          弾性被覆部材
19          ピン
【図１】
2005198812.tif 000003
【図２】
2005198812.tif 000004
【図３】
2005198812.tif 000005
【図４】
2005198812.tif 000006
【図５】
2005198812.tif 000007
【図６】
2005198812.tif 000008
【図７】
2005198812.tif 000009
【図８】
2005198812.tif 000010